(57)【要約】  【課題】ヒンジを利用して開閉扉の基部側の撓み、変形等を少なくし、遊技機本体と開閉扉との隙間からの不正行為を防止できるようにする。  【解決手段】遊技機本体１に開閉扉６，７をヒンジ８〜１３により縦軸心廻りに開閉、着脱自在に取り付ける。ヒンジ８〜１３はヒンジピン８ｃ〜１３ｃとピン孔８ｄ〜１３ｄとの挿脱部が互いに独立しており、開閉扉６，７の上下両端部とその中間部とに複数配置する。複数のヒンジピン１０ｃ，１２ｃ、８ｃ，１１ｃ，１３ｃは上下方向の連結部材５０，５１により上下動自在に連結され、ヒンジピン１０ｃ，１２ｃ、８ｃ，１１ｃ，１３ｃをピン孔１０ｄ，１２ｄ、８ｄ，１１ｄ，１３ｄに対して挿入方向に付勢するバネ５２，５３が設けられている。【選択図】  図６
2010075766.tif 000002
【特許請求の範囲】
【請求項１】
遊技機本体（１）に開閉扉（６）（７）をヒンジ（８）〜（１３）により縦軸心廻りに開閉、着脱自在に取り付けた遊技機において、ヒンジピン（８ｃ）〜（１３ｃ）とピン孔（８ｄ）〜（１３ｄ）との挿脱部が互いに独立する前記ヒンジ（８）〜（１３）を前記開閉扉（６）（７）の上下両端部とその中間部とに配置したことを特徴とする遊技機。
【請求項２】
前記ヒンジ（８）〜（１３）を前記開閉扉（６）（７）の中間部に上下方向に複数配置したことを特徴とする請求項１に記載の遊技機。
【請求項３】
前記ヒンジピン（１０ｃ）（１２ｃ）を前記遊技機本体（１）側に備えた前記ヒンジ（１０）（１２）と、前記ヒンジピン（８ｃ）（１１ｃ）（１３ｃ）を前記開閉扉（６）（７）側に備えた前記ヒンジ（８）（１１）（１３）とを上下方向に交互に配置したことを特徴とする請求項１又は２に記載の遊技機。
【請求項４】
前記遊技機本体（１）と前記開閉扉（６）（７）の一方側にある複数の前記ヒンジピン（１０ｃ）（１２ｃ）、（８ｃ）（１１ｃ）（１３ｃ）を上下方向の連結部材（５０）（５１）により上下動自在に連結し、前記ヒンジピン（１０ｃ）（１２ｃ）、（８ｃ）（１１ｃ）（１３ｃ）を他方側にある前記ピン孔（１０ｄ）（１２ｄ）、（８ｄ）（１１ｄ）（１３ｄ）に対して挿入方向に付勢するバネ（５２）（５３）を設けたことを特徴とする請求項３に記載の遊技機。
【請求項５】
前記ヒンジピン（８ｃ）（１０ｃ）〜（１３ｃ）を前記ピン孔（８ｄ）（１０ｄ）〜（１３ｄ）から離脱する離脱位置に保持するための保持手段（５４）（５５）を設けたことを特徴とする請求項４に記載の遊技機。
【請求項６】
上端部の前記ヒンジ（８）の上側のヒンジ金具（８ａ）、下端部の前記ヒンジ（９）のヒンジ金具（９ｂ）を前記遊技機本体（１）側に固定し、下端部の前記ヒンジ（９）のヒンジピン（９ｃ）を前記遊技機本体（１）側の前記ヒンジ金具（９ｂ）又は前記開閉扉（６）（７）側のヒンジ金具（９ａ）に固定したことを特徴とする請求項１〜５の何れかに記載の遊技機。
【発明の詳細な説明】
【技術分野】
【０００１】
本発明は、弾球遊技機等の遊技機に関し、ヒンジを利用して開閉扉の基部側の撓み、変形等を少なくして、遊技機本体と開閉扉との隙間からピアノ線を挿入する等の不正行為を防止するようにしたものである。
【背景技術】
【０００２】
遊技球を使用してゲームを行う遊技機には、パチンコ機に代表される弾球遊技機等がある。この種の遊技機は、外枠と、基部側が外枠に開閉自在に枢着された内枠とにより遊技機本体を構成し、その内枠の上部前面に、遊技盤を前側から覆う開閉式のガラス扉を配置し、また内枠の下部前面に、遊技盤へと遊技球を発射する発射手段等を前側から覆う開閉式の前面扉を設けている。
【０００３】
通常、ガラス扉はその上下両端部に配置された上下一対のヒンジを介して内枠に開閉、着脱自在に取り付けられている。しかし、ガラス扉の基部側と内枠との間に隙間があれば、その隙間から遊技盤の遊技領域へとピアノ線、セル板等の不正部材を挿入して、遊技釘を曲げたり遊技球を入賞手段へと案内したりする不正行為を招く惧れがある。
【０００４】
そこで、従来は内枠とガラス扉との夫々に、相手側に突出し且つガラス扉を閉じたときに左右に接近して重なる突出壁を設けたり（特許文献１）、内枠とガラス扉との一方に溝を、他方にガラス扉を閉じたときに先端部が溝に嵌合する突出壁を夫々設けたりして（特許文献２）、内枠とガラス扉との間に極力隙間ができないようにしている。
【先行技術文献】
【特許文献】
【０００５】
【特許文献１】特開２００５−１６８７１７号公報
【特許文献２】特開２００４−６５９３５号公報
【発明の概要】
【発明が解決しようとする課題】
【０００６】
従来の構造では、ヒンジはガラス扉の上下両端部のみであるため、内枠とガラス扉との隙間にドライバ等を挿入して、このドライバ等を梃子としてガラス扉の基部側に前方向の外力を加えると、その上下方向の中央部分が前方へと突出するようにガラス扉自体の基部側が弓なりに湾曲して、内枠とガラス扉との間に隙間ができ、その隙間からピアノ線、セル板等を挿入される惧れがある。
【０００７】
また突出壁の高さを大にして、ガラス扉が多少湾曲しても隙間が生じないようにすることも可能であるが、突出壁の高さが大になれば、突出壁がガラス扉の裏面から後方へと大きく突出するため、この突出壁が損傷し易くなるという問題がある。
【０００８】
従って、従来の構造は何れの場合にも種々の問題があり、不正行為の十分な防止対策とはなり得ないものである。
【０００９】
本発明は、このような従来の問題点に鑑み、ヒンジを利用して開閉扉の基部側の撓み、変形等を少なくし、遊技機本体と開閉扉との隙間からの不正行為を防止できる遊技機を提供することを目的とする。
【００１０】
本発明は、遊技機本体１に開閉扉６，７をヒンジ８〜１３により縦軸心廻りに開閉、着脱自在に取り付けた遊技機において、ヒンジピン８ｃ〜１３ｃとピン孔８ｄ〜１３ｄとの挿脱部が互いに独立する前記ヒンジ８〜１３を前記開閉扉６，７の上下両端部とその中間部とに配置したものである。
【発明の効果】
【００１１】
本発明では、ヒンジを利用して開閉扉の基部側の撓み、変形等を少なくし、遊技機本体と開閉扉との隙間からの不正行為を防止できる利点がある。
【図面の簡単な説明】
【００１２】
【図１】本発明の第１の実施例を示すパチンコ機の斜視図である。
【図２】同遊技機本体側の一部破断正面図である。
【図３】同遊技機本体側の平面断面図である。
【図４】同要部の拡大断面図である。
【図５】同ガラス扉の背面図である。
【図６】同ヒンジ部分の正面図である。
【図７】同ヒンジ部分の説明図である。
【図８】同保持手段の側面図である。
【図９】本発明の第２の実施例を示すヒンジ部分の正面図である。
【図１０】同ヒンジ部分の斜視図である。
【図１１】本発明の第３の実施例を示す要部の拡大断面図である。
【発明を実施するための形態】
【００１３】
以下、本発明の実施形態を図面に基づいて詳述する。図１〜図８は本発明をパチンコ機に採用した第１の実施例を例示している。図１〜図３において、遊技機本体１は、矩形状の外枠２と、この外枠２の前側に配置された内枠３とを備えている。内枠３は基部側が外枠２の前側で上下一対のヒンジ４により縦軸心廻りに開閉、着脱自在に枢着され、基部側と反対の遊端側が閉状態で施錠手段５により外枠２に施錠されている。内枠３の前側には、ガラス扉６と前面扉７とが上下に配置されている。
【００１４】
ガラス扉６、前面扉７は開閉扉の一例を示し、そのガラス扉６は基部側がヒンジ４と略同一軸心上の上下方向に複数のヒンジ８〜１３（図６、図７参照）により内枠３に開閉、着脱自在に枢着され、基部側と反対の遊端側が閉状態で施錠手段（図示省略）により内枠３に施錠されている。なお、前面扉７もガラス扉６と同様に複数のヒンジ（図示省略）により内枠３に開閉、着脱自在に枢着され、基部側と反対の遊端側が閉状態で施錠手段（図示省略）により内枠３に施錠されている。
【００１５】
内枠３には遊技盤１４が着脱自在に装着され、その遊技盤１４がガラス扉６により前側から覆われている。ガラス扉６は遊技盤１４の遊技領域１５に対応する窓孔１６を有し、その窓孔１６の外周が化粧カバー１７により前側から覆われている。なお、化粧カバー１７の上部側の左右隅部には、スピーカ１８用の音出し口１９が設けられている。前面扉７の前面には、発射用の遊技球を貯留する受け皿２０、発射手段２１用の発射ハンドル２２、灰皿２３等が設けられている。なお、発射ハンドル２２の基部周辺にスピーカ２４用の音出し口２５が設けられている。
【００１６】
内枠３は合成樹脂製の一体成型品であって、図３、図４に示すように、外枠２内に嵌合する胴部３０の他に、胴部３０の前端側から外側に突出して外枠２の前面側に対応する前側枠部２６及び前上枠部２７を一体に備えている。
【００１７】
胴部３０は正面視矩形状で、図３に示すように後端側が遊技盤１４の裏側を覆う裏カバー３０ａにより閉塞されている。そして、胴部３０には、その前後方向の中間の遊技盤１４が前側から当接する段部３０ｂが設けられ、この段部３０ｂから前側の内周が、遊技盤１４を前側から着脱自在に装着するための装着部２９となっている。装着部２９には回動式の締結具３１がその上壁側、下壁側から夫々突出して設けられ、装着部２９内に嵌め込まれた遊技盤１４をその締結具３１により固定するようになっている。
【００１８】
前側枠部２６は図２に示すように外枠２の左右両側の前面に対応して左右一対あり、その上端間に前上枠部２７が、下端間に外枠２の下前板部２ａの上面に対応する前下枠部２８が夫々設けられ、全体として正面視矩形状に構成されている。また各前側枠部２６と前上枠部２７との内側の左右上隅部には隅板部３２が、内側の下部に支持板部３３が一体に設けられている。隅板部３２にはスピーカ１８等が設けられている。
【００１９】
左右の前側枠部２６は図３、図４に示すように、胴部３０の前端側から外枠２の前端面、遊技盤１４等と略平行に外側へと突出する板状の後縁部２６ａと、この後縁部２６ａの外端から前側に屈曲する板状の側縁部２６ｂとを有し、後縁部２６ａの内端側から前側に突出するリブ状の補強部２６ｃが設けられている。
【００２０】
また基部側の前側枠部２６には、その上下の略全長にわたる板金製の枠補強板３５が装着され、この枠補強板３５により前側枠部２６が補強されている。枠補強板３５は後縁部２６ａの裏面に当接する後壁部３６と、この後壁部３６の外端から側縁部２６ｂの外側面に沿って前側に屈曲し当接する側壁部３７と、この側壁部３７の前端から内側に屈曲する前壁部３８とを有し、内枠３の前側枠部２６を覆うように後壁部３６がネジ等で前側枠部２６に固定されている。そして、枠補強板３５のガラス扉６及び前面扉７に対応する範囲には、前壁部３８の内端から前側に屈曲する不正阻止壁兼用のヒンジ取付壁３９が設けられている。
【００２１】
遊技盤１４には図２、図３に示すように、発射手段２１からの遊技球を案内するガイドレール４０が設けられ、このガイドレール４０の内側が略円形状の遊技領域１５となっている。遊技盤１４は胴部３０内の装着部２９に前側から着脱自在に嵌合され、段部３０ｂに当接した状態で上下の締結具３１により固定されている。なお、遊技領域１５には、図示省略した液晶表示手段、大入賞手段、遊技釘等の複数の遊技部品が装着されている。
【００２２】
支持板部３３は内枠３の遊技盤１４から下側に左右の前側枠部２６、前下枠部２８と一体に形成されている。支持板部３３の左右方向の中央部には、その前面に配置された発射レール４１、打撃槌４２等を有する発射手段２１が設けられ、遊技者が発射ハンドル２２を操作したときに、発射レール４１上に供給される遊技球を打撃槌４２で打撃して遊技盤１４のガイドレール４０側へと発射させるようになっている。また支持板部３３にはその裏側にスピーカ２４が装着されている。
【００２３】
ガラス扉６は遊技盤１４の遊技領域１５に対応する窓孔１６を有し、図３〜図５に示すように扉枠４３と、この扉枠４３の裏面に装着された扉補強板４４と、扉補強板４４の裏面に着脱自在に装着されたガラスユニット４５と、扉枠４３の前面に装着された化粧カバー１７とを備え、化粧カバー１７の内部に発光表示手段が組み込まれている。扉枠４３は合成樹脂製の平板状であって、裏面に装着された板金製の扉補強板４４により補強されている。
【００２４】
扉補強板４４は扉枠４３と略同形状であり、この扉補強板４４の基部側には、前側に屈曲する挿入阻止壁４７を介して凹入状のヒンジ取付壁４８が上下の略全長に設けられている。挿入阻止壁４７はガラス扉６を閉じたときに、枠補強板３５のヒンジ取付壁３９の前端の内側に接近して左右に重なり、内枠３とガラス扉６との間から遊技領域１５側へのピアノ線その他の不正部材の挿入を阻止するようになっている。
【００２５】
ヒンジ８〜１３は図３〜図７に示すように、ガラス扉６の上下両端部とその中間部とに上下方向に略等間隔をおいて配置されている。即ち、ガラス扉６の上下両端部に２個のヒンジ８，９があり、その中間部分に１個以上、例えば複数の４個（複数）のヒンジ１０〜１３があり、ガラス扉６は合計６個のヒンジ８〜１３により内枠３に開閉、着脱自在に取り付けられている。
【００２６】
各ヒンジ８〜１３は図６、図７に示すように、上側に配置されたピン孔８ｄ〜１３ｄ付きのヒンジ金具８ａ〜１３ａと、このヒンジ金具８ａ〜１３ａの下側に配置されたヒンジ金具８ｂ〜１３ｂと、下側のヒンジ金具８ｂ〜１３ｂに保持され且つピン孔８ｄ〜１３ｄに対して下側から挿脱、回動自在に挿入されるヒンジピン８ｃ〜１３ｃとを有し、ヒンジピン８ｃ〜１３ｃとピン孔８ｄ〜１３ｄとの挿脱部分が互いに独立した構造になっている。
【００２７】
これらのヒンジ８〜１３は、ヒンジピン９ｃ，１０ｃ，１２ｃを内枠３側に備えたヒンジ９，１０，１２と、ヒンジピン８ｃ，１１ｃ，１３ｃをガラス扉６側に備えたヒンジ８，１１，１３とが上下方向に交互となるように配置されている。
【００２８】
下端部側のヒンジ９を除く各ヒンジ８，１０〜１３は、そのヒンジピン８ｃ，１０ｃ〜１３ｃがヒンジ金具８ｂ，１０ｂ〜１３ｂにより摺動自在に保持されている。各ヒンジピン８ｃ，１０ｃ〜１３ｃはピン孔８ｄ，１０ｄ〜１３ｄに対して挿脱できるように、内枠３側とガラス扉６側とに分けて、その側方近傍で上下方向に配置された連結部材５０，５１により連結されている。
【００２９】
またヒンジピン８ｃ，１０ｃ〜１３ｃをピン孔８ｄ，１０ｄ〜１３ｄに対して挿入方向に付勢するバネ５２，５３と、このバネ５２，５３に抗してピン孔８ｄ，１０ｄ〜１３ｄから離脱する離脱位置にヒンジピン８ｃ，１０ｃ〜１３ｃを保持する保持手段５４，５５とが設けられている。
【００３０】
上端部のヒンジ８の上側のヒンジ金具８ａ、下端部のヒンジ９の下側のヒンジ金具９ｂは、内枠３の枠補強板３５の前壁部３８及び／又はヒンジ取付壁３９に固定され、この両ヒンジ金具８ａ，９ｂ間に、内枠３側のヒンジ板５６が設けられている。ヒンジ板５６は内枠３側のヒンジ金具８ａ，９ｂ及びヒンジ取付壁３９に固定されている。
【００３１】
ガラス扉６側にもヒンジ板５７があり、内枠３側のヒンジ板５６に対応して扉補強板４４のヒンジ取付壁４８に固定されている。両ヒンジ板５６，５７には、噛み合い可能に相対応する凹部５８と凸部５９とが上下両端のヒンジ金具８ａ，９ｂ間に交互に形成されている。そして、各ヒンジ板５６，５７の凸部５９には、その上側にヒンジピン８ｃ，１０ｃ〜１３ｃを保持するヒンジ金具８ｂ，１０ｂ〜１３ｂが、その下側にピン孔９ｄ〜１３ｄ用のヒンジ金具９ａ〜１３ａが夫々設けられている。
【００３２】
各ヒンジ金具９ａ〜１３ａ，８ｂ，１０ｂ〜１３ｂは凸部５９の先端を円形状に巻き込んで形成するか、筒体を溶接等で固定してもよい。またこれ以外の構造でもよい。ヒンジ９は、ヒンジ金具９ａにヒンジピン９ｃを固定し、ヒンジ金具９ｂにピン孔９ｄを形成してもよい。
【００３３】
各ヒンジピン８ｃ，１０ｃ〜１３ｃは、ヒンジ金具８ｂ，１０ｂ〜１３ｂの下側で側方に屈曲する屈曲部８ｅ，１０ｅ〜１３ｅを有し、その屈曲部８ｅ，１０ｅ〜１３ｅが連結部材５０，５１に連結されている。バネ５２，５３は引っ張りバネであり、ヒンジ板５６，５７のバネ掛け部５２ａ，５３ａと屈曲部８ｅ，１０ｅ，１３ｅとの間に設けられている。
【００３４】
なお、バネ５２，５３は各ヒンジピン８ｃ，１０ｃ〜１３ｃに対応して夫々設けてもよいが、ヒンジピン１０ｃ，１２ｃが連結部材５０により、ヒンジピン８ｃ，１１ｃ，１３ｃが連結部材５１により夫々連結状態にあるため、内枠３側、ガラス扉６側に夫々１個あれば十分である。連結部材５０，５１は屈曲部８ｅ，１０ｅ〜１３ｅを操作部として操作してもよいが、図６に二点鎖線で示すように、上下方向の適当箇所に操作摘まみ等の操作部５０ａ，５１ａを設けてもよい。
【００３５】
保持手段５４，５５はヒンジ板５６，５７に設けられた突起５４ａ，５５ａにより構成され、連結部材５０，５１を離脱位置でヒンジピン８ｃ，１０ｃ〜１３ｃ廻りに回動させて何れかの屈曲部１２ｅ，１１ｅを突起５４ａ，５５ａに係脱するようになっている。突起５４ａ，５５ａには下降時に屈曲部１２ｅ，１１ｅを下側へと案内する傾斜案内面５４ｂ，５５ｂが上側に形成され、また屈曲部１２ｅ，１１ｅ用の係合部５４ｃ，５５ｃが下側に形成されている。なお、係合部５４ｃ，５５ｃは凹入状になっている。
【００３６】
突起５４ａ，５５ａの下側にはストッパー５４ｄ，５５ｄが設けられ、屈曲部１２ｅ，１１ｅが当接することによりヒンジピン８ｃ，１０ｃ〜１３ｃを下降限に規制するようになている。なお、このストッパー５４ｄ，５５ｄは、他の箇所でヒンジ板５６，５７に設けてもよい。
【００３７】
ガラスユニット４５は合成樹脂製の環状の保持枠６０と、この保持枠６０の前後に装着された２枚のガラス板６１，６２とを備えた中空状であり、扉補強板４４の裏側に設けられた複数の固定手段６３により、その保持枠６０側が扉補強板４４の裏面に着脱自在に固定されている。
【００３８】
このような構成の弾球遊技機では、ガラス扉６の上下両端部のヒンジ８，９の他、その中間部に略等間隔で配置された４個のヒンジ１０〜１３があり、これらのヒンジ８〜１３によりガラス扉６の基部側を内枠３に取り付けており、上下の各ヒンジ８〜１３間の間隔が短くなっているため、隣り合うヒンジ８〜１３相互間でのガラス扉６の撓みを少なくできる。
【００３９】
従って、内枠３とガラス扉６との間にドライバ等を挿入してガラス扉６に前方向へと外力を加えても、従来のようにガラス扉６の基部が前側へと弓なりに湾曲し又は変形するようなことはない。このためガラス扉６を湾曲し又は変形させて行う不正行為は未然に防止できる。
【００４０】
また内枠３側のヒンジ板５６とガラス扉６側のヒンジ板５７とに相対応する凹部５８、凸部５９を形成し、この両ヒンジ板５６，５７に、ヒンジピン８ｃ〜１３ｃが内枠３側とガラス扉６側で交互となるように各ヒンジ８〜１３を配置しているので、凹部５８、凸部５９の上下両側にヒンジ８〜１３の挿脱部分があり、各ヒンジ板５６，５７の凹部５８、凸部５９が噛み合う形状であることと相俟って、ヒンジ８〜１３側での隙間を極力少なくできる。
【００４１】
更にヒンジ８〜１３の内側では内枠３側の枠補強板３５のヒンジ取付壁３９の前端が、ガラス扉６側の扉補強板４４の挿入阻止壁４７に左右に重なっているため、その間から遊技領域１５側へのピアノ線等の挿入も未然に防止できる。
【００４２】
ガラス扉６を取り外す場合には、先ずガラス扉６をヒンジピン８ｃ〜１３ｃ廻りに開放する。すると内枠３側の枠補強板３５とガラス扉６側の扉補強板４４との間に開放空間ができ、各ヒンジ８〜１３が外部に露出する。そこで、両補強板３５，４４の間から各連結部材５０，５１等を操作してバネ５２，５３に抗しながら離脱位置までヒンジピン８ｃ，１０ｃ〜１３ｃを下降させ、ヒンジピン８ｃ，１０ｃ〜１３ｃをヒンジ金具８ａ，１０ａ〜１３ａのピン孔８ｄ，１０ｄ〜１３ｄから抜き、ヒンジ８，１０〜１３によるガラス扉６の枢着を解除する。
【００４３】
通常、連結部材５０，５１はバネ５２，５３の付勢によりヒンジ板５６，５７又はヒンジ取付壁４８に当接状態にある。その状態から連結部材５０，５１を下方に押し下げると、ヒンジ板５６，５７に沿って下降した後、屈曲部１２ｅ，１１ｅが突起５４ａ，５５ａの傾斜案内面５４ｂ，５５ｂに案内されてヒンジピン８ｃ〜１３ｃ廻りに回動しながら下降する。
【００４４】
そして、傾斜案内面５４ｂ，５５ｂを通過すると、連結部材５０，５１をヒンジピン８ｃ〜１３ｃ廻りに突起５４ａ，５５ａの下側へと回動させて、屈曲部１２ｅ，１１ｅを係合部５４ｃ，５５ｃに係止する。これによって各ヒンジピン８ｃ，１０ｃ〜１３ｃを離脱状態に保持できる。
【００４５】
各連結部材５０，５１を操作して各ヒンジ８，１０〜１３を解除した後、下端部のヒンジ９のヒンジピン９ｃをヒンジ金具９ａのピン孔９ｄから抜き取りながら、ガラス扉６を内枠３から取り外す。このためガラス扉６を多数のヒンジ８〜１３で取り付けているにも拘らず、ガラス扉６を取り外す場合には簡単な操作で容易に取り外すことができる。
【００４６】
ガラス扉６を取り付ける場合には、各ヒンジピン８ｃ，１０ｃ〜１３ｃを離脱位置に保持しておく。そして、下端部のヒンジ９のピン孔９ｄをヒンジピン９ｃに合わせ、ヒンジピン９ｃをピン孔９ｄに挿入する。そして、ヒンジ金具９ｂ上にヒンジ金具９ａを載せた状態で、他の各ヒンジ８，１０〜１３のヒンジピン８ｃ，１０ｃ〜１３ｃをピン孔８ｄ，１０ｄ〜１３ｄに一致させた後、各ヒンジピン８ｃ，１０ｃ〜１３ｃの離脱位置での係止を解除し、連結部材５０，５１を上昇させてヒンジピン８ｃ，１０ｃ〜１３ｃをピン孔８ｄ，１０ｄ〜１３ｄに挿入する。従って、多くのヒンジ８〜１３があるにも拘わらず、ヒンジ８〜１３を介してガラス扉６を内枠３に容易に取り付けることができる。
【００４７】
図９、図１０は本発明の第２の実施例を例示する。この実施例では、上下両端に突出部を有するコの字状のヒンジ金具８ｂ，１０ｂ〜１３ｂと、下端に突出部を有するＬ字状のヒンジ金具９ａ〜１３ａとが使用され、そのコの字状のヒンジ金具８ｂ，１０ｂ〜１３ｂの突出部にヒンジピン８ｃ，１０ｃ〜１３ｃが挿入され、Ｌ字状のヒンジ金具９ａ〜１３ａの突出部にピン孔９ｄ〜１３ｄが形成されている。
【００４８】
またヒンジピン８ｃ，１０ｃ〜１３ｃには、ヒンジ金具８ｂ，１０ｂ〜１３ｂの下側の突出部とその上側でヒンジピン８ｃ，１０ｃ〜１３ｃに設けられたバネ受け５２ｂ，５３ｂとの間に圧縮式のバネ５２，５３が套嵌されている。保持手段５４，５５は、ヒンジ金具１１ｂ，１２ｂの下側の突出部の先端から下方へと屈曲状に突起５４ａ，５５ａが設けられており、下側に係合部５４ｃ，５５ｃと規制部５４ｄ，５５ｄとを有する。その他は、第１の実施例と同様である。
【００４９】
ガラス扉６を取り外す場合には、連結部材５０，５１を介して各ヒンジピン８ｃ，１０ｃ，１３ｃを離脱位置まで下降させた後、屈曲部１２ｅ，１１ｅを保持手段５４，５５の係合部５４ｃ，５５ｃにより係止する。また離脱位置での保持を解除する場合には、連結部材５０，５１をヒンジピン８ｃ〜１３ｃ廻りに規制部５４ｄ，５５ｄと反対側に回動させると、屈曲部１２ｅ，１１ｅが係合部５４ｃ，５５ｃから離脱してヒンジピン８ｃ，１０ｃ，１３ｃがバネ５２，５３により上昇する。このように構成しても第１の実施例と同様の効果を得ることができる。
【００５０】
図１１は本発明の第３の実施例を例示する。この実施例では、第２の実施例とは異なり、ヒンジ板５６，５７が省略されており、コ字状のヒンジ金具８ｂ，１０ｂ〜１３ｂ、Ｌ字状のヒンジ金具１０ａ〜１３ａが枠補強板３５のヒンジ取付壁３９、扉補強板４４のヒンジ取付壁４８に取り付けられている。内枠３はその前側枠部２６の裏側に枠補強板３５を有し、また前側枠部２６の側縁部２６ｂはガラス扉６の基部側の外側まで突出し、その前端部に内側に屈曲する屈曲縁２６ｄが設けられている。そして、ガラス扉６の基部側では、ガラス扉６を閉じたときに、その化粧カバー１７の外端部１７ａが屈曲縁２６ｄの裏側に近接するようになっている。
【００５１】
このような構成の場合にも、ガラス扉６の変形等を防止できる。また各ヒンジ８〜１３部分に隙間ができるが、ガラス扉６の化粧カバー１７の外端部１７ａが内枠３の屈曲縁２６ｄの裏側に近接し、しかも挿入阻止壁４７とヒンジ取付壁３９との重なり部分があるため、この部分で遊技領域１５側へのピアノ線等の挿入を阻止できる。
【００５２】
以上、本発明の実施例について詳述したが、本発明はこれらの実施例に限定されるものではなく、本発明の趣旨を逸脱しない範囲で種々の変更が可能である。例えば、中間部のヒンジは１個でもよいし、２個以上の複数でもよい。また実施例では、ヒンジピン８ｃ〜１３ｃがガラス扉６側と内枠３側とに交互に配置されるようになっているが、上下両端部のヒンジ８，９を除く中間部のヒンジ１０〜１３は、そのヒンジピン１０ｃ〜１３ｃが内枠３とガラス扉６との一方のみとなるように構成してもよい。この場合、上端部のヒンジピン８ｃはガラス扉６側にある方が望ましいことを考慮すれば、ヒンジピン１０ｃ〜１３ｃはガラス扉６側とすることが望ましい。各ヒンジ８〜９は他の構造のものでもよい。
【００５３】
ヒンジピン８ｃ〜１３ｃは上側から下側のピン孔８ｄ〜１３に対して挿脱するようにしても良い。バネ５２，５３は他の部分に設けても良い。また設ける位置、構造等によっては、バネ５２，５３につる巻きバネ等を使用することもできる。
実施例では開閉扉としてガラス扉６を例示しているが、ガラス扉６の下側に配置された前面扉７、内枠３の裏側に開閉自在に配置される裏機構板等でも同様に実施可能である。また実施例の遊技機本体１は外枠２と内枠３とから構成しているが、１個の枠体でもよい。その他、本発明はパチンコ機に限らず、アレンジボール機、雀球遊技機等の各種の弾球遊技機、更にはその他の遊技機においても同様に実施可能である。
【符号の説明】
【００５４】
１遊技機本体
３内枠
６ガラス扉（開閉扉）
７前面扉（開閉扉）
８〜１３ヒンジ
８ａ〜１３ａヒンジ金具
８ｂ〜１３ｂヒンジ金具
８ｃ〜１３ｃヒンジピン
８ｄ〜１３ｄピン孔
５２，５３バネ
５４，５５保持手段
【図１】
2010075766.tif 000003
【図２】
2010075766.tif 000004
【図３】
2010075766.tif 000005
【図４】
2010075766.tif 000006
【図５】
2010075766.tif 000007
【図６】
2010075766.tif 000008
【図７】
2010075766.tif 000009
【図８】
2010075766.tif 000010
【図９】
2010075766.tif 000011
【図１０】
2010075766.tif 000012
【図１１】
2010075766.tif 000013
【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
遊技機本体に開閉扉をヒンジにより縦軸心廻りに開閉、着脱自在に取り付けた遊技機において、ヒンジピンとピン孔との挿脱部が互いに独立する前記ヒンジを前記開閉扉の上下両端部とその中間部とに配置し、前記ヒンジピンが前記遊技機本体と前記開閉扉の一方側にある複数の前記ヒンジの前記ヒンジピンを上下方向の連結部材により上下動自在に連結し、該複数のヒンジの前記ヒンジピンは前記連結部材を介して前記ピン孔に挿入した挿入状態と前記ピン孔から離脱した離脱状態とに保持可能であることを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、弾球遊技機等の遊技機に関し、ヒンジを利用して開閉扉の基部側の撓み、変形等を少なくして、遊技機本体と開閉扉との隙間からピアノ線を挿入する等の不正行為を防止するようにしたものである。
【背景技術】
【０００２】
遊技球を使用してゲームを行う遊技機には、パチンコ機に代表される弾球遊技機等がある。この種の遊技機は、外枠と、基部側が外枠に開閉自在に枢着された内枠とにより遊技機本体を構成し、その内枠の上部前面に、遊技盤を前側から覆う開閉式のガラス扉を配置し、また内枠の下部前面に、遊技盤へと遊技球を発射する発射手段等を前側から覆う開閉式の前面扉を設けている。
【０００３】
通常、ガラス扉はその上下両端部に配置された上下一対のヒンジを介して内枠に開閉、着脱自在に取り付けられている。しかし、ガラス扉の基部側と内枠との間に隙間があれば、その隙間から遊技盤の遊技領域へとピアノ線、セル板等の不正部材を挿入して、遊技釘を曲げたり遊技球を入賞手段へと案内したりする不正行為を招く惧れがある。
【０００４】
そこで、従来は内枠とガラス扉との夫々に、相手側に突出し且つガラス扉を閉じたときに左右に接近して重なる突出壁を設けたり（特許文献１）、内枠とガラス扉との一方に溝を、他方にガラス扉を閉じたときに先端部が溝に嵌合する突出壁を夫々設けたりして（特許文献２）、内枠とガラス扉との間に極力隙間ができないようにしている。
【先行技術文献】
【特許文献】
【０００５】
【特許文献１】特開２００５−１６８７１７号公報
【特許文献２】特開２００４−６５９３５号公報
【発明の概要】
【発明が解決しようとする課題】
【０００６】
従来の構造では、ヒンジはガラス扉の上下両端部のみであるため、内枠とガラス扉との隙間にドライバ等を挿入して、このドライバ等を梃子としてガラス扉の基部側に前方向の外力を加えると、その上下方向の中央部分が前方へと突出するようにガラス扉自体の基部側が弓なりに湾曲して、内枠とガラス扉との間に隙間ができ、その隙間からピアノ線、セル板等を挿入される惧れがある。
【０００７】
また突出壁の高さを大にして、ガラス扉が多少湾曲しても隙間が生じないようにすることも可能であるが、突出壁の高さが大になれば、突出壁がガラス扉の裏面から後方へと大きく突出するため、この突出壁が損傷し易くなるという問題がある。
【０００８】
従って、従来の構造は何れの場合にも種々の問題があり、不正行為の十分な防止対策とはなり得ないものである。
【０００９】
本発明は、このような従来の問題点に鑑み、ヒンジを利用して開閉扉の基部側の撓み、変形等を少なくし、遊技機本体と開閉扉との隙間からの不正行為を防止できる遊技機を提供することを目的とする。
【課題を解決するための手段】
【００１０】
本発明は、遊技機本体に開閉扉をヒンジにより縦軸心廻りに開閉、着脱自在に取り付けた遊技機において、ヒンジピンとピン孔との挿脱部が互いに独立する前記ヒンジを前記開閉扉の上下両端部とその中間部とに配置し、前記ヒンジピンが前記遊技機本体と前記開閉扉の一方側にある複数の前記ヒンジの前記ヒンジピンを上下方向の連結部材により上下動自在に連結し、該複数のヒンジの前記ヒンジピンは前記連結部材を介して前記ピン孔に挿入した挿入状態と前記ピン孔から離脱した離脱状態とに保持可能にしたものである。
【発明の効果】
【００１１】
本発明では、ヒンジを利用して開閉扉の基部側の撓み、変形等を少なくし、遊技機本体と開閉扉との隙間からの不正行為を防止できる利点がある。
【図面の簡単な説明】
【００１２】
【図１】本発明の第１の実施例を示すパチンコ機の斜視図である。
【図２】同遊技機本体側の一部破断正面図である。
【図３】同遊技機本体側の平面断面図である。
【図４】同要部の拡大断面図である。
【図５】同ガラス扉の背面図である。
【図６】同ヒンジ部分の正面図である。
【図７】同ヒンジ部分の説明図である。
【図８】同保持手段の側面図である。
【図９】本発明の第２の実施例を示すヒンジ部分の正面図である。
【図１０】同ヒンジ部分の斜視図である。
【図１１】本発明の第３の実施例を示す要部の拡大断面図である。
【発明を実施するための形態】
【００１３】
以下、本発明の実施形態を図面に基づいて詳述する。図１〜図８は本発明をパチンコ機に採用した第１の実施例を例示している。図１〜図３において、遊技機本体１は、矩形状の外枠２と、この外枠２の前側に配置された内枠３とを備えている。内枠３は基部側が外枠２の前側で上下一対のヒンジ４により縦軸心廻りに開閉、着脱自在に枢着され、基部側と反対の遊端側が閉状態で施錠手段５により外枠２に施錠されている。内枠３の前側には、ガラス扉６と前面扉７とが上下に配置されている。
【００１４】
ガラス扉６、前面扉７は開閉扉の一例を示し、そのガラス扉６は基部側がヒンジ４と略同一軸心上の上下方向に複数のヒンジ８〜１３（図６、図７参照）により内枠３に開閉、着脱自在に枢着され、基部側と反対の遊端側が閉状態で施錠手段（図示省略）により内枠３に施錠されている。なお、前面扉７もガラス扉６と同様に複数のヒンジ（図示省略）により内枠３に開閉、着脱自在に枢着され、基部側と反対の遊端側が閉状態で施錠手段（図示省略）により内枠３に施錠されている。
【００１５】
内枠３には遊技盤１４が着脱自在に装着され、その遊技盤１４がガラス扉６により前側から覆われている。ガラス扉６は遊技盤１４の遊技領域１５に対応する窓孔１６を有し、その窓孔１６の外周が化粧カバー１７により前側から覆われている。なお、化粧カバー１７の上部側の左右隅部には、スピーカ１８用の音出し口１９が設けられている。前面扉７の前面には、発射用の遊技球を貯留する受け皿２０、発射手段２１用の発射ハンドル２２、灰皿２３等が設けられている。なお、発射ハンドル２２の基部周辺にスピーカ２４用の音出し口２５が設けられている。
【００１６】
内枠３は合成樹脂製の一体成型品であって、図３、図４に示すように、外枠２内に嵌合する胴部３０の他に、胴部３０の前端側から外側に突出して外枠２の前面側に対応する前側枠部２６及び前上枠部２７を一体に備えている。
【００１７】
胴部３０は正面視矩形状で、図３に示すように後端側が遊技盤１４の裏側を覆う裏カバー３０ａにより閉塞されている。そして、胴部３０には、その前後方向の中間の遊技盤１４が前側から当接する段部３０ｂが設けられ、この段部３０ｂから前側の内周が、遊技盤１４を前側から着脱自在に装着するための装着部２９となっている。装着部２９には回動式の締結具３１がその上壁側、下壁側から夫々突出して設けられ、装着部２９内に嵌め込まれた遊技盤１４をその締結具３１により固定するようになっている。
【００１８】
前側枠部２６は図２に示すように外枠２の左右両側の前面に対応して左右一対あり、その上端間に前上枠部２７が、下端間に外枠２の下前板部２ａの上面に対応する前下枠部２８が夫々設けられ、全体として正面視矩形状に構成されている。また各前側枠部２６と前上枠部２７との内側の左右上隅部には隅板部３２が、内側の下部に支持板部３３が一体に設けられている。隅板部３２にはスピーカ１８等が設けられている。
【００１９】
左右の前側枠部２６は図３、図４に示すように、胴部３０の前端側から外枠２の前端面、遊技盤１４等と略平行に外側へと突出する板状の後縁部２６ａと、この後縁部２６ａの外端から前側に屈曲する板状の側縁部２６ｂとを有し、後縁部２６ａの内端側から前側に突出するリブ状の補強部２６ｃが設けられている。
【００２０】
また基部側の前側枠部２６には、その上下の略全長にわたる板金製の枠補強板３５が装着され、この枠補強板３５により前側枠部２６が補強されている。枠補強板３５は後縁部２６ａの裏面に当接する後壁部３６と、この後壁部３６の外端から側縁部２６ｂの外側面に沿って前側に屈曲し当接する側壁部３７と、この側壁部３７の前端から内側に屈曲する前壁部３８とを有し、内枠３の前側枠部２６を覆うように後壁部３６がネジ等で前側枠部２６に固定されている。そして、枠補強板３５のガラス扉６及び前面扉７に対応する範囲には、前壁部３８の内端から前側に屈曲する不正阻止壁兼用のヒンジ取付壁３９が設けられている。
【００２１】
遊技盤１４には図２、図３に示すように、発射手段２１からの遊技球を案内するガイドレール４０が設けられ、このガイドレール４０の内側が略円形状の遊技領域１５となっている。遊技盤１４は胴部３０内の装着部２９に前側から着脱自在に嵌合され、段部３０ｂに当接した状態で上下の締結具３１により固定されている。なお、遊技領域１５には、図示省略した液晶表示手段、大入賞手段、遊技釘等の複数の遊技部品が装着されている。
【００２２】
支持板部３３は内枠３の遊技盤１４から下側に左右の前側枠部２６、前下枠部２８と一体に形成されている。支持板部３３の左右方向の中央部には、その前面に配置された発射レール４１、打撃槌４２等を有する発射手段２１が設けられ、遊技者が発射ハンドル２２を操作したときに、発射レール４１上に供給される遊技球を打撃槌４２で打撃して遊技盤１４のガイドレール４０側へと発射させるようになっている。また支持板部３３にはその裏側にスピーカ２４が装着されている。
【００２３】
ガラス扉６は遊技盤１４の遊技領域１５に対応する窓孔１６を有し、図３〜図５に示すように扉枠４３と、この扉枠４３の裏面に装着された扉補強板４４と、扉補強板４４の裏面に着脱自在に装着されたガラスユニット４５と、扉枠４３の前面に装着された化粧カバー１７とを備え、化粧カバー１７の内部に発光表示手段が組み込まれている。扉枠４３は合成樹脂製の平板状であって、裏面に装着された板金製の扉補強板４４により補強されている。
【００２４】
扉補強板４４は扉枠４３と略同形状であり、この扉補強板４４の基部側には、前側に屈曲する挿入阻止壁４７を介して凹入状のヒンジ取付壁４８が上下の略全長に設けられている。挿入阻止壁４７はガラス扉６を閉じたときに、枠補強板３５のヒンジ取付壁３９の前端の内側に接近して左右に重なり、内枠３とガラス扉６との間から遊技領域１５側へのピアノ線その他の不正部材の挿入を阻止するようになっている。
【００２５】
ヒンジ８〜１３は図３〜図７に示すように、ガラス扉６の上下両端部とその中間部とに上下方向に略等間隔をおいて配置されている。即ち、ガラス扉６の上下両端部に２個のヒンジ８，９があり、その中間部分に１個以上、例えば複数の４個（複数）のヒンジ１０〜１３があり、ガラス扉６は合計６個のヒンジ８〜１３により内枠３に開閉、着脱自在に取り付けられている。
【００２６】
各ヒンジ８〜１３は図６、図７に示すように、上側に配置されたピン孔８ｄ〜１３ｄ付きのヒンジ金具８ａ〜１３ａと、このヒンジ金具８ａ〜１３ａの下側に配置されたヒンジ金具８ｂ〜１３ｂと、下側のヒンジ金具８ｂ〜１３ｂに保持され且つピン孔８ｄ〜１３ｄに対して下側から挿脱、回動自在に挿入されるヒンジピン８ｃ〜１３ｃとを有し、ヒンジピン８ｃ〜１３ｃとピン孔８ｄ〜１３ｄとの挿脱部分が互いに独立した構造になっている。
【００２７】
これらのヒンジ８〜１３は、ヒンジピン９ｃ，１０ｃ，１２ｃを内枠３側に備えたヒンジ９，１０，１２と、ヒンジピン８ｃ，１１ｃ，１３ｃをガラス扉６側に備えたヒンジ８，１１，１３とが上下方向に交互となるように配置されている。
【００２８】
下端部側のヒンジ９を除く各ヒンジ８，１０〜１３は、そのヒンジピン８ｃ，１０ｃ〜１３ｃがヒンジ金具８ｂ，１０ｂ〜１３ｂにより摺動自在に保持されている。各ヒンジピン８ｃ，１０ｃ〜１３ｃはピン孔８ｄ，１０ｄ〜１３ｄに対して挿脱できるように、内枠３側とガラス扉６側とに分けて、その側方近傍で上下方向に配置された連結部材５０，５１により連結されている。
【００２９】
またヒンジピン８ｃ，１０ｃ〜１３ｃをピン孔８ｄ，１０ｄ〜１３ｄに対して挿入方向に付勢するバネ５２，５３と、このバネ５２，５３に抗してピン孔８ｄ，１０ｄ〜１３ｄから離脱する離脱位置にヒンジピン８ｃ，１０ｃ〜１３ｃを保持する保持手段５４，５５とが設けられている。
【００３０】
上端部のヒンジ８の上側のヒンジ金具８ａ、下端部のヒンジ９の下側のヒンジ金具９ｂは、内枠３の枠補強板３５の前壁部３８及び／又はヒンジ取付壁３９に固定され、この両ヒンジ金具８ａ，９ｂ間に、内枠３側のヒンジ板５６が設けられている。ヒンジ板５６は内枠３側のヒンジ金具８ａ，９ｂ及びヒンジ取付壁３９に固定されている。
【００３１】
ガラス扉６側にもヒンジ板５７があり、内枠３側のヒンジ板５６に対応して扉補強板４４のヒンジ取付壁４８に固定されている。両ヒンジ板５６，５７には、噛み合い可能に相対応する凹部５８と凸部５９とが上下両端のヒンジ金具８ａ，９ｂ間に交互に形成されている。そして、各ヒンジ板５６，５７の凸部５９には、その上側にヒンジピン８ｃ，１０ｃ〜１３ｃを保持するヒンジ金具８ｂ，１０ｂ〜１３ｂが、その下側にピン孔９ｄ〜１３ｄ用のヒンジ金具９ａ〜１３ａが夫々設けられている。
【００３２】
各ヒンジ金具９ａ〜１３ａ，８ｂ，１０ｂ〜１３ｂは凸部５９の先端を円形状に巻き込んで形成するか、筒体を溶接等で固定してもよい。またこれ以外の構造でもよい。ヒンジ９は、ヒンジ金具９ａにヒンジピン９ｃを固定し、ヒンジ金具９ｂにピン孔９ｄを形成してもよい。
【００３３】
各ヒンジピン８ｃ，１０ｃ〜１３ｃは、ヒンジ金具８ｂ，１０ｂ〜１３ｂの下側で側方に屈曲する屈曲部８ｅ，１０ｅ〜１３ｅを有し、その屈曲部８ｅ，１０ｅ〜１３ｅが連結部材５０，５１に連結されている。バネ５２，５３は引っ張りバネであり、ヒンジ板５６，５７のバネ掛け部５２ａ，５３ａと屈曲部８ｅ，１０ｅ，１３ｅとの間に設けられている。
【００３４】
なお、バネ５２，５３は各ヒンジピン８ｃ，１０ｃ〜１３ｃに対応して夫々設けてもよいが、ヒンジピン１０ｃ，１２ｃが連結部材５０により、ヒンジピン８ｃ，１１ｃ，１３ｃが連結部材５１により夫々連結状態にあるため、内枠３側、ガラス扉６側に夫々１個あれば十分である。連結部材５０，５１は屈曲部８ｅ，１０ｅ〜１３ｅを操作部として操作してもよいが、図６に二点鎖線で示すように、上下方向の適当箇所に操作摘まみ等の操作部５０ａ，５１ａを設けてもよい。
【００３５】
保持手段５４，５５はヒンジ板５６，５７に設けられた突起５４ａ，５５ａにより構成され、連結部材５０，５１を離脱位置でヒンジピン８ｃ，１０ｃ〜１３ｃ廻りに回動させて何れかの屈曲部１２ｅ，１１ｅを突起５４ａ，５５ａに係脱するようになっている。突起５４ａ，５５ａには下降時に屈曲部１２ｅ，１１ｅを下側へと案内する傾斜案内面５４ｂ，５５ｂが上側に形成され、また屈曲部１２ｅ，１１ｅ用の係合部５４ｃ，５５ｃが下側に形成されている。なお、係合部５４ｃ，５５ｃは凹入状になっている。
【００３６】
突起５４ａ，５５ａの下側にはストッパー５４ｄ，５５ｄが設けられ、屈曲部１２ｅ，１１ｅが当接することによりヒンジピン８ｃ，１０ｃ〜１３ｃを下降限に規制するようになている。なお、このストッパー５４ｄ，５５ｄは、他の箇所でヒンジ板５６，５７に設けてもよい。
【００３７】
ガラスユニット４５は合成樹脂製の環状の保持枠６０と、この保持枠６０の前後に装着された２枚のガラス板６１，６２とを備えた中空状であり、扉補強板４４の裏側に設けられた複数の固定手段６３により、その保持枠６０側が扉補強板４４の裏面に着脱自在に固定されている。
【００３８】
このような構成の弾球遊技機では、ガラス扉６の上下両端部のヒンジ８，９の他、その中間部に略等間隔で配置された４個のヒンジ１０〜１３があり、これらのヒンジ８〜１３によりガラス扉６の基部側を内枠３に取り付けており、上下の各ヒンジ８〜１３間の間隔が短くなっているため、隣り合うヒンジ８〜１３相互間でのガラス扉６の撓みを少なくできる。
【００３９】
従って、内枠３とガラス扉６との間にドライバ等を挿入してガラス扉６に前方向へと外力を加えても、従来のようにガラス扉６の基部が前側へと弓なりに湾曲し又は変形するようなことはない。このためガラス扉６を湾曲し又は変形させて行う不正行為は未然に防止できる。
【００４０】
また内枠３側のヒンジ板５６とガラス扉６側のヒンジ板５７とに相対応する凹部５８、凸部５９を形成し、この両ヒンジ板５６，５７に、ヒンジピン８ｃ〜１３ｃが内枠３側とガラス扉６側で交互となるように各ヒンジ８〜１３を配置しているので、凹部５８、凸部５９の上下両側にヒンジ８〜１３の挿脱部分があり、各ヒンジ板５６，５７の凹部５８、凸部５９が噛み合う形状であることと相俟って、ヒンジ８〜１３側での隙間を極力少なくできる。
【００４１】
更にヒンジ８〜１３の内側では内枠３側の枠補強板３５のヒンジ取付壁３９の前端が、ガラス扉６側の扉補強板４４の挿入阻止壁４７に左右に重なっているため、その間から遊技領域１５側へのピアノ線等の挿入も未然に防止できる。
【００４２】
ガラス扉６を取り外す場合には、先ずガラス扉６をヒンジピン８ｃ〜１３ｃ廻りに開放する。すると内枠３側の枠補強板３５とガラス扉６側の扉補強板４４との間に開放空間ができ、各ヒンジ８〜１３が外部に露出する。そこで、両補強板３５，４４の間から各連結部材５０，５１等を操作してバネ５２，５３に抗しながら離脱位置までヒンジピン８ｃ，１０ｃ〜１３ｃを下降させ、ヒンジピン８ｃ，１０ｃ〜１３ｃをヒンジ金具８ａ，１０ａ〜１３ａのピン孔８ｄ，１０ｄ〜１３ｄから抜き、ヒンジ８，１０〜１３によるガラス扉６の枢着を解除する。
【００４３】
通常、連結部材５０，５１はバネ５２，５３の付勢によりヒンジ板５６，５７又はヒンジ取付壁４８に当接状態にある。その状態から連結部材５０，５１を下方に押し下げると、ヒンジ板５６，５７に沿って下降した後、屈曲部１２ｅ，１１ｅが突起５４ａ，５５ａの傾斜案内面５４ｂ，５５ｂに案内されてヒンジピン８ｃ〜１３ｃ廻りに回動しながら下降する。
【００４４】
そして、傾斜案内面５４ｂ，５５ｂを通過すると、連結部材５０，５１をヒンジピン８ｃ〜１３ｃ廻りに突起５４ａ，５５ａの下側へと回動させて、屈曲部１２ｅ，１１ｅを係合部５４ｃ，５５ｃに係止する。これによって各ヒンジピン８ｃ，１０ｃ〜１３ｃを離脱状態に保持できる。
【００４５】
各連結部材５０，５１を操作して各ヒンジ８，１０〜１３を解除した後、下端部のヒンジ９のヒンジピン９ｃをヒンジ金具９ａのピン孔９ｄから抜き取りながら、ガラス扉６を内枠３から取り外す。このためガラス扉６を多数のヒンジ８〜１３で取り付けているにも拘らず、ガラス扉６を取り外す場合には簡単な操作で容易に取り外すことができる。
【００４６】
ガラス扉６を取り付ける場合には、各ヒンジピン８ｃ，１０ｃ〜１３ｃを離脱位置に保持しておく。そして、下端部のヒンジ９のピン孔９ｄをヒンジピン９ｃに合わせ、ヒンジピン９ｃをピン孔９ｄに挿入する。そして、ヒンジ金具９ｂ上にヒンジ金具９ａを載せた状態で、他の各ヒンジ８，１０〜１３のヒンジピン８ｃ，１０ｃ〜１３ｃをピン孔８ｄ，１０ｄ〜１３ｄに一致させた後、各ヒンジピン８ｃ，１０ｃ〜１３ｃの離脱位置での係止を解除し、連結部材５０，５１を上昇させてヒンジピン８ｃ，１０ｃ〜１３ｃをピン孔８ｄ，１０ｄ〜１３ｄに挿入する。従って、多くのヒンジ８〜１３があるにも拘わらず、ヒンジ８〜１３を介してガラス扉６を内枠３に容易に取り付けることができる。
【００４７】
図９、図１０は本発明の第２の実施例を例示する。この実施例では、上下両端に突出部を有するコの字状のヒンジ金具８ｂ，１０ｂ〜１３ｂと、下端に突出部を有するＬ字状のヒンジ金具９ａ〜１３ａとが使用され、そのコの字状のヒンジ金具８ｂ，１０ｂ〜１３ｂの突出部にヒンジピン８ｃ，１０ｃ〜１３ｃが挿入され、Ｌ字状のヒンジ金具９ａ〜１３ａの突出部にピン孔９ｄ〜１３ｄが形成されている。
【００４８】
またヒンジピン８ｃ，１０ｃ〜１３ｃには、ヒンジ金具８ｂ，１０ｂ〜１３ｂの下側の突出部とその上側でヒンジピン８ｃ，１０ｃ〜１３ｃに設けられたバネ受け５２ｂ，５３ｂとの間に圧縮式のバネ５２，５３が套嵌されている。保持手段５４，５５は、ヒンジ金具１１ｂ，１２ｂの下側の突出部の先端から下方へと屈曲状に突起５４ａ，５５ａが設けられており、下側に係合部５４ｃ，５５ｃと規制部５４ｄ，５５ｄとを有する。その他は、第１の実施例と同様である。
【００４９】
ガラス扉６を取り外す場合には、連結部材５０，５１を介して各ヒンジピン８ｃ，１０ｃ，１３ｃを離脱位置まで下降させた後、屈曲部１２ｅ，１１ｅを保持手段５４，５５の係合部５４ｃ，５５ｃにより係止する。また離脱位置での保持を解除する場合には、連結部材５０，５１をヒンジピン８ｃ〜１３ｃ廻りに規制部５４ｄ，５５ｄと反対側に回動させると、屈曲部１２ｅ，１１ｅが係合部５４ｃ，５５ｃから離脱してヒンジピン８ｃ，１０ｃ，１３ｃがバネ５２，５３により上昇する。このように構成しても第１の実施例と同様の効果を得ることができる。
【００５０】
図１１は本発明の第３の実施例を例示する。この実施例では、第２の実施例とは異なり、ヒンジ板５６，５７が省略されており、コ字状のヒンジ金具８ｂ，１０ｂ〜１３ｂ、Ｌ字状のヒンジ金具１０ａ〜１３ａが枠補強板３５のヒンジ取付壁３９、扉補強板４４のヒンジ取付壁４８に取り付けられている。内枠３はその前側枠部２６の裏側に枠補強板３５を有し、また前側枠部２６の側縁部２６ｂはガラス扉６の基部側の外側まで突出し、その前端部に内側に屈曲する屈曲縁２６ｄが設けられている。そして、ガラス扉６の基部側では、ガラス扉６を閉じたときに、その化粧カバー１７の外端部１７ａが屈曲縁２６ｄの裏側に近接するようになっている。
【００５１】
このような構成の場合にも、ガラス扉６の変形等を防止できる。また各ヒンジ８〜１３部分に隙間ができるが、ガラス扉６の化粧カバー１７の外端部１７ａが内枠３の屈曲縁２６ｄの裏側に近接し、しかも挿入阻止壁４７とヒンジ取付壁３９との重なり部分があるため、この部分で遊技領域１５側へのピアノ線等の挿入を阻止できる。
【００５２】
以上、本発明の実施例について詳述したが、本発明はこれらの実施例に限定されるものではなく、本発明の趣旨を逸脱しない範囲で種々の変更が可能である。例えば、中間部のヒンジは１個でもよいし、２個以上の複数でもよい。また実施例では、ヒンジピン８ｃ〜１３ｃがガラス扉６側と内枠３側とに交互に配置されるようになっているが、上下両端部のヒンジ８，９を除く中間部のヒンジ１０〜１３は、そのヒンジピン１０ｃ〜１３ｃが内枠３とガラス扉６との一方のみとなるように構成してもよい。この場合、上端部のヒンジピン８ｃはガラス扉６側にある方が望ましいことを考慮すれば、ヒンジピン１０ｃ〜１３ｃはガラス扉６側とすることが望ましい。各ヒンジ８〜９は他の構造のものでもよい。
【００５３】
ヒンジピン８ｃ〜１３ｃは上側から下側のピン孔８ｄ〜１３に対して挿脱するようにしても良い。バネ５２，５３は他の部分に設けても良い。また設ける位置、構造等によっては、バネ５２，５３につる巻きバネ等を使用することもできる。
実施例では開閉扉としてガラス扉６を例示しているが、ガラス扉６の下側に配置された前面扉７、内枠３の裏側に開閉自在に配置される裏機構板等でも同様に実施可能である。また実施例の遊技機本体１は外枠２と内枠３とから構成しているが、１個の枠体でもよい。その他、本発明はパチンコ機に限らず、アレンジボール機、雀球遊技機等の各種の弾球遊技機、更にはその他の遊技機においても同様に実施可能である。
【符号の説明】
【００５４】
１遊技機本体
３内枠
６ガラス扉（開閉扉）
７前面扉（開閉扉）
８〜１３ヒンジ
８ａ〜１３ａヒンジ金具
８ｂ〜１３ｂヒンジ金具
８ｃ〜１３ｃヒンジピン
８ｄ〜１３ｄピン孔
５２，５３バネ
５４，５５保持手段